(57)【要約】【課題】フォロアピンとカム溝との作動が良く、製造誤差による作動不良を防止でき、性能が劣化せずにスムーズな作動を得ることのできるカム筒のカム溝構造を提供する。【解決手段】カム筒６Ａの内周面に、第一及び第二フォロアピンＰ１、Ｐ２を案内する同一軌跡の前方及び後方カム溝１０１、１０２が形成されている。そして、前方カム溝１０１内の第一フォロアピンＰ１が第一当接領域１０３に配されている場合に、後方カム溝１０２内の第二フォロアピンＰ２は第二非当接領域１０６に配され、カム筒６Ａの繰込・繰出動作に伴って、前方カム溝１０１内の第一当接領域１０３に配された第一フォロアピンＰ１が第一当接領域１０３から外れる際に、後方カム溝１０２の第二非当接領域１０６に配された第二フォロアピンＰ２が、第二当接領域１０５に配されることにより当接領域の受け渡しがなされる。【選択図】図１
2006349798.tif 000002
【特許請求の範囲】
【請求項１】
レンズ群を保持するレンズ群保持枠の外周面から外方に突出して、互いに光軸方向に沿って略平行に並ぶ複数の外方突起に、それぞれ係合して案内する同一軌跡の複数のカム溝が、互いに光軸方向に沿って略平行に並んで形成され、前記レンズ群を光軸方向に所定の変位で移動させるカム筒のカム溝構造であって、
前記カム溝は、そのカム溝を形成する壁面に、前記外方突起の外周面が当接することにより係合される当接領域と、前記外方突起の外周面が当接しないように形成された非当接領域とを備え、
前記複数のカム溝において、一方のカム溝内の外方突起が前記当接領域に配されている場合に、他方のカム溝内の外方突起は前記非当接領域に配されており、
前記カム筒の繰込・繰出動作に伴って、前記一方のカム溝内の当接領域に配された外方突起が、前記当接領域から外れる際に、前記他方のカム溝内の非当接領域に配された外方突起が、他方のカム溝内の前記当接領域に配されることにより、前記当接領域の受け渡しがなされることを特徴とするカム筒のカム溝構造。
【請求項２】
前記レンズ群は、ステップズームレンズ方式により繰込・繰出動作がなされ、ステップズームとして停止しない領域において、前記外方突起による前記当接領域の受け渡しがなされることを特徴とする請求項１に記載のカム筒のカム溝構造。
【発明の詳細な説明】
【技術分野】
【０００１】
本発明は、レンズ群及びレンズ枠を光軸方向に所定の変位で移動させるカム筒のカム溝構造に関する。
【背景技術】
【０００２】
従来より、カメラのコンパクト化のために、部品の一つであるカム筒の光軸方向における全長を短くすることが要望されている。しかしながら、レンズ群の移動量をある程度、確保する必要があることから、カム筒の全長よりもレンズ群の移動量の方が長くなってしまうことがあり、単にカム筒の全長を短くした場合にあってはカム構成が成り立たないという問題があった。
そこで、レンズ群の光軸方向への移動量を確保しつつ、カム筒の全長を短くするために、カム筒の内周面に同一軌跡のカム溝を複数設けることにより、これらカム溝に係合するフォロアピンのうち、片方のフォロアピンがカム溝から外れても他方のフォロアピンがカム溝に沿って移動して作動し、完全な外れの防止を目的としたレンズ移動機構が知られている（例えば、特許文献１参照）。
【特許文献１】特開２００４−８５９３２号公報
【発明の開示】
【発明が解決しようとする課題】
【０００３】
しかしながら、上記特許文献１に記載のレンズ移動機構では、カム溝を同一軌跡で設ける必要があり、製造段階で高い精度が要求されていた。そのため、複数のカム溝が正確に同一軌跡でないと、フォロアピンとカム溝との間に摩擦が生じ、作動が悪くなるという問題があった。また、カム溝をフォロアピンより大きく形成して余裕を持たせるとズーム精度が出ないという問題もあった。
そこで、本発明は、上記事情に鑑みてなされたもので、外方突起（フォロアピン）とカム溝との作動が良く、製造誤差による作動不良を防止でき、性能が劣化せずにスムーズな作動を得ることのできるカム筒のカム溝構造を提供することを目的としている。
【課題を解決するための手段】
【０００４】
上記課題を解決するために、請求項１の発明は、例えば、図１〜図３に示すように、レンズ群（第二レンズ群３１）を保持するレンズ群保持枠（第二レンズ群保持枠１００）の外周面から外方に突出して、互いに光軸方向に沿って略平行に並ぶ複数の外方突起（第一フォロアピンＰ１及び第二フォロアピンＰ２）に、それぞれ係合して案内する同一軌跡の複数のカム溝（前方カム溝１０１、後方カム溝１０２）が、互いに光軸方向に沿って略平行に並んで形成され、前記レンズ群を光軸方向に所定の変位で移動させるカム筒６Ａのカム溝構造であって、
前記カム溝は、その壁面に、前記外方突起の外周面が当接することにより係合される当接領域（第一当接領域１０３、第二当接領域１０５）と、前記外方突起の外周面が当接しないように形成された非当接領域（第一非当接領域１０４、第二非当接領域１０６）とを備え、
前記複数のカム溝において、一方のカム溝内の外方突起が前記当接領域に配されている場合に、他方のカム溝内の外方突起は前記非当接領域に配されており、
前記カム筒の繰込・繰出動作に伴って、前記一方のカム溝内の当接領域に配された外方突起が、前記当接領域から外れる際に、前記他方のカム溝内の非当接領域に配された外方突起が、他方のカム溝内の前記当接領域に配されることにより、前記当接領域の受け渡しがなされることを特徴とする。
【０００５】
請求項１の発明によれば、同一軌跡の複数のカム溝が、互いに光軸方向に沿って略平行に並んで形成され、カム溝は、当接領域と非当接領域とを備え、繰込・繰出動作に伴って、一方のカム溝内の外方突起が当接領域から外れる際に、他方のカム溝内の非当接領域にある外方突起が、他方のカム溝内の当接領域に配されることにより、当接領域の受け渡しがなされる。これによって、カム筒の回転が停止することなく、レンズ群及びレンズ群保持枠が光軸方向に所定の変位で移動する。したがって、従来のように光軸方向に沿って並ぶ二つの外方突起が同時にカム溝の壁面に当接するのではなく、片方ずつカム溝の当接領域に当接する構成であるので、外方突起とカム溝との作動が良く、製造誤差による作動不良を防止でき、性能が劣化せずにスムーズな作動を得ることができる。したがって、カム筒の全厚以上の外方突起の移動量が必要な場合でも、容易に解消することができ、さらにカム筒の全長を短くすることができる。その結果、このようなカム筒を備えたカメラ等の光学機器の小型化を図ることができる。
【０００６】
請求項２の発明は、請求項１に記載のカム筒のカム溝構造において、
前記レンズ群は、ステップズームレンズ方式により繰込・繰出動作がなされ、ステップズームとして停止しない領域において、前記外方突起による前記当接領域の受け渡しがなされることを特徴とする。
【０００７】
請求項２の発明によれば、ステップズームとして停止しない領域において、外方突起による当接領域の受け渡しがなされるので、撮影に何等影響を与えることなく、繰込・繰出動作をスムーズに作動させることができる。
【発明の効果】
【０００８】
本発明に係るカム筒のカム溝構造によれば、外方突起が片方ずつカム溝の当接領域に当接する構成であるので、外方突起とカム溝との作動が良く、製造誤差による作動不良を防止でき、性能が劣化せずにスムーズな作動を得ることができる。したがって、カム筒の全厚以上の外方突起のストロークが必要な場合でも、容易に解消でき、さらにカム筒の全長を短くすることができる。
【発明を実施するための最良の形態】
【０００９】
以下、本発明の実施の形態について説明する。
本実施の形態では、カム筒を使用した鏡筒駆動機構を光学機器の一例として例示されるデジタルカメラに適用した場合を説明することとする。また、このデジタルカメラは撮影倍率を６段階で変更可能なステップズーム機能を有するものとする。
図１は、本実施の形態に係る鏡筒駆動機構に沿った断面図であってワイド状態（撮影状態）にある場合を示し、図２は、同断面図であってテレ状態にある場合を示している。また、図３は、カム筒６Ａの内周面に形成された前方及び後方カム溝１０１、１０２を表す展開図である。
なお、以下の説明において、デジタルカメラが最も広い範囲の被写体を捉えられる状態をワイド状態（最も広い範囲で撮像可能な状態）といい、最も狭い範囲ではあるが最も高倍率で被写体を捉えられる状態をテレ状態（最も狭い範囲で撮像可能な状態）といい、デジタルカメラの未使用時であって各部材が収納されて最もコンパクトにされた状態を収納状態というものとする。
【００１０】
まず、鏡筒駆動機構の主な構成について図１〜図３を参照して説明する。
鏡筒駆動機構１は、主に、鏡筒本体１０、第一レンズ枠２、シャッタユニット８、第二レンズ枠３、第三レンズ枠４、第一直進筒５Ａ、第二直進筒５Ｂ、カム筒６Ａ、回転駆動筒６Ｂ、固定筒７から構成されている。そして、鏡筒本体１０内に各部材２〜８が、該各部材２〜８の略中心を通る光軸が略一致するような状態で保持されている。
【００１１】
鏡筒本体１０は、最も外側に設けられ、その後端開口部には撮像部９が取り付けられている。
固定筒７は、鏡筒本体１０の内側に設けられ、その内周面にはヘリコイドと光軸方向に沿って平行な第一直進溝７１が設けられている。
【００１２】
回転駆動筒６Ｂは、固定筒７の内側に設けられ、その外周面にはヘリコイドが設けられ、固定筒７のヘリコイドと螺合している。回転駆動筒６Ｂの外周のヘリコイドにはギア部（図示略）が併設され、駆動モータ（図示略）とギア連結されている。
また、回転駆動筒６Ｂの内周面には光軸方向に沿って平行な第二直進溝６１Ｂが設けられている。
【００１３】
第一直進筒５Ａは、回転駆動筒６Ｂの内側に設けられ、その後端部における側壁部には、外方に突出し、固定筒７の第一直進溝７１に係合する第一回転規制部５１Ａが設けられている。これによって、回転駆動筒６Ｂが回転しながら光軸方向に沿って前後動するのに対し、第一直進筒５Ａは周方向への回転が規制されて前後動する。
【００１４】
カム筒６Ａは、回転駆動筒６Ｂの内側に設けられ、その外周面後端部には、回転駆動筒６Ｂの内周面の第二直進溝６１Ｂに嵌合するピン６１Ａが設けられている。また、このピン６１Ａは第一直進筒５Ａの第一カム溝５２Ａに挿通されている。そのため、回転駆動筒６Ｂの回転をカム筒６Ａに伝えるとともに第一カム溝５２Ａによってカム筒６Ａ自体を光軸方向に沿って前後動させる。
また、カム筒６Ａの外周面には、第一レンズ枠２の第一コマ部２２が係合する第二カム溝６２Ａが形成されている。
【００１５】
さらに、カム筒６Ａの内周面には、図３に示すように、後述するシャッタユニット８に備えられた第二レンズ群保持枠１００の外周面から外方に突出して設けられ、光軸方向に沿って平行に二列並んだ第一フォロアピン（外方突起）Ｐ１及び第二フォロアピン（外方突起）Ｐ２がそれぞれ係合するためのカム溝１０１、１０２が、光軸方向に沿って略平行となるように二列に並んで形成されている。光軸方向前方に形成された前方カム溝１０１と、後方に形成された後方カム溝１０２とは、互いに同一軌跡を有している。すなわち、これら前方カム溝１０１及び後方カム溝１０２は、カム筒６Ａの内周面の周方向に延在して形成されており、前方カム溝１０１と後方カム溝１０２とは、カム筒６Ａの内周面の周方向において、３つずつ形成されている。
【００１６】
なお、図３では、一つの前方カム溝１０１に第一フォロアピンＰ１が６箇所図示されているが、これはカム筒６Ａが繰込・繰出動作に伴って移動した際の、第一フォロアピンＰ１の軌跡を表している。同様に、一つの後方カム溝１０２に第二フォロアピンＰ２が６箇所図示されているが、これも第二フォロアピンＰ２の軌跡を表している。したがって、実際には、一つの前方カム溝１０１及び一つの後方カム溝１０２にそれぞれ１つずつ第一フォロアピンＰ１及び第二フォロアピンＰ２が配されている。
【００１７】
前方カム溝１０１は、その前方カム溝１０１を形成する壁面に、第一フォロアピンＰ１の外周面が当接することにより第一フォロアピンＰ１が係合する第一当接領域１０３と、第一フォロアピンＰ１の外周面が当接しないように形成された第一非当接領域１０４とを備えている。すなわち、前方カム溝１０１の長手方向における所定範囲が第一非当接領域１０４であり、それ以外が第一当接領域１０３とされている。
第一当接領域１０３の溝幅は、第一フォロアピンＰ１の外周面が当接するように第一フォロアピンＰ１の径よりも若干大きく形成されており、第一非当接領域１０４の溝幅は、第一フォロアピンＰ１の外周面が当接しないように、第一フォロアピンＰ１と壁面との間に隙間Ｓが形成される程度の大きさに形成されている。
【００１８】
また、後方カム溝１０２は、その後方カム溝１０２を形成する壁面に、第二フォロアピンＰ２の外周面が当接することにより第二フォロアピンＰ２が係合する第二当接領域１０５と、第二フォロアピンＰ２の外周面が当接しないように形成された第二非当接領域１０６とを備えている。すなわち、後方カム溝１０２の長手方向における所定範囲が第二非当接領域１０６であり、それ以外が第二当接領域１０５とされている。
第二当接領域１０５の溝幅は、第二フォロアピンＰ２の外周面が当接するように第二フォロアピンＰ２の径よりも若干大きく形成されており、第二非当接領域１０６の溝幅は、第二フォロアピンＰ２の外周面が当接しないように、第二フォロアピンＰ２と壁面との間に隙間Ｓが形成される程度の大きさに形成されている。
【００１９】
前方カム溝１０１内の第一フォロアピンＰ１が第一当接領域１０３に配されている場合に、後方カム溝１０２内の第二フォロアピンＰ２が第二非当接領域１０６に配されており、いずれか一方のフォロアピンが、各当接領域に当接するようになっている。
そして、カム筒６Ａの繰出動作に伴って、前方カム溝１０１内の第一当接領域１０３に配された第一フォロアピンＰ１が、第一当接領域１０３から外れる際に、後方カム溝１０２内の第二非当接領域１０６に配された第二フォロアピンＰ２が、後方カム溝１０２内の第二当接領域１０５に配されることにより後方カム溝１０２に係合し、当接領域の受け渡しが行われる。また、カム筒６Ａの繰込動作に伴って、後方カム溝１０２内の第二当接領域１０５に配された第二フォロアピンＰ２が、第二当接領域１０５から外れる際に、前方カム溝１０１内の第一非当接領域１０４に配された第一フォロアピンＰ１が、前方カム溝１０１内の第一当接領域１０３に配されることにより前方カム溝１０１に係合し、当接領域の受け渡しが行われる。
このようにして各当接領域に受け渡しが行われることにより、スムーズにカム筒６Ｂが回転するようになっており、また、この当接領域の受け渡しは、ステップズームとして停止しない領域においてなされる。そのため、撮影に何等影響を与えることなく、性能が劣化することもなく、スムーズな作動となる。
【００２０】
なお、カメラを落下させた際の衝撃に耐えやすくするために、第二カム溝６２Ａは前方カム溝１０１及び後方カム溝１０２よりも深く形成されている。
【００２１】
第二直進筒５Ｂは、第一直進筒５Ａの前方に配置され回転駆動筒６Ｂの内側に設けられている。第二直進筒５Ｂの内周面には光軸方向に沿って平行な第四直進溝５１Ｂが設けられている。
【００２２】
第一レンズ枠２は、第二直進筒５Ｂの内側に設けられ、その前端部で第一レンズ群２１を保持するものである。この第一レンズ枠２の後端部における側壁部には、該側壁部を貫通し、その内周面から内側に突出する第一コマ部２２が設けられている。また、第一レンズ枠２の後端部における側壁部には、外側に突出し、第二直進筒５Ｂの第四直進溝５１Ｂに係合する第二回転規制部２３が設けられている。これによって第一レンズ枠２の周方向への回転が規制されて前後動する。
第一レンズ枠２の第一レンズ群２１が設けられた前端部には、カザリ環２４とバリア機構とが装着されている。
バリア機構は、バリア駆動リングと、該バリア駆動リングによって開閉されるバリア羽根２５とから構成されている。
【００２３】
シャッタユニット８は、第一レンズ枠２の後方に配置され、カム筒６Ａの内側に設けられている。シャッタユニット８は、露光開口部が形成されたシャッタ基板８１と、露光開口部の開閉動作又は絞りを行うシャッタ羽根８３と、シャッタ羽根８３を駆動させる駆動源とを備えている。
シャッタ基板８１は、カム筒６Ａの後端部に係合する第二レンズ群保持枠１００の前側に固定されている。また、シャッタ基板８１と第一レンズ枠２との間には、互いに離間する方向に付勢するコイルバネによる付勢手段Ｂが設けられている。
また、第二レンズ群保持枠１００の後端部には、その後端部における側壁部が外側に突出してカム筒６Ａに係合する第三回転規制部８４が設けられている。したがって、第二レンズ群保持枠１００は、この第三回転規制部８４によって周方向への移動が規制されながら前後動する。
また、第二レンズ群保持枠１００の側壁部には、該側壁部を貫通し、その外周面から外方に突出し、カム筒６Ａの前方カム溝１０１及び後方カム溝１０２に係合する第一フォロアピンＰ１及び第二フォロアピンＰ２が設けられている。第一フォロアピンＰ１及び第二フォロアピンＰ２は、第二レンズ群保持枠１００の周方向において、それぞれ３つずつ所定間隔に設けられている（図３参照）。
また、駆動源は、カメラの内部に設けられた制御回路（図示略）からの指令に基づきシャッタ羽根８３を駆動させることによって、露光開口部を開閉又は所定の口径に絞る。
さらに、このシャッタユニット８には、図示しないが、後述する第二レンズ枠３を光路内に配置した位置から、光路外に退避させる位置まで上下にスライド移動させるスライド移動手段が設けられている。
【００２４】
第二レンズ枠３は、シャッタユニット８の後方に配置され、その前端部で第二レンズ群３１を保持するものである。第二レンズ枠３は、その外周が、第二レンズ群保持枠１００に保持されており、第二レンズ群保持枠１００の光軸方向への移動に伴って繰込・繰出動作がなされる。
【００２５】
第三レンズ枠４は、第二レンズ枠３の後方に配置され、その前端部で第三レンズ群４１を保持するものである。この第三レンズ枠４の外周には、第三レンズ群４１の位置調整を行うためのモータ（図示略）が連結されている。このモータが回転することにより、第三レンズ群４１と、第三レンズ群４１の後方に配置された撮像部９との間隔が調整されて焦点が合うようになっている。
【００２６】
撮像部９は、鏡筒本体１０の内周後端部に取り付けられた受け部９１と、該受け部９１に嵌め込まれたローパスフィルタ９２と、ローパスフィルタ９２の後部に弾性体（図示略）を介して設けられた撮像素子９３と、撮像素子９３をローパスフィルタ９２とで挟持する押さえ板とを備えている。
【００２７】
次に、鏡筒駆動機構１の動作について説明する。
図示しないが、収納状態にある鏡筒駆動機構１に、モータ（図示略）からの駆動力が回転駆動筒６Ｂのギア部（図示略）に伝達されると回転駆動筒６Ｂが回転する。この回転駆動筒６Ｂの回転に伴い、第一直進筒５Ａの第一回転規制部５１Ａが第一直進溝７１に沿って前方に直進する。同時に、回転駆動筒６Ｂの回転がカム筒６Ａのピン６１Ａに伝えられて、第一直進筒５Ａの第一カム溝５２Ａに沿ってカム筒６Ａが前方に直進する。そして、カム筒６Ａの回転に伴い、第三回転規制部８４も前方に直進し、第一レンズ枠２の第一コマ部２２が第二カム溝６２Ａに沿って前方に直進する。
【００２８】
ここで、第二レンズ群保持枠１００の第一フォロアピンＰ１は、前方カム溝１０１の第一当接領域１０３に配されて、前方カム溝１０１にその外周面が当接して係合している。このとき、第二フォロアピンＰ２は、後方カム溝１０２の第二非当接領域１０６に、その外周面が当接しないように配されている。そして、カム筒６Ａの回転に伴い、第一フォロアピンＰ１は前方カム溝１０１の第一当接領域１０３の溝内に沿って移動し、第二フォロアピンＰ２は後方カム溝１０２の第二非当接領域１０６の溝内に沿って移動する。第一フォロアピンＰ１が第一当接領域１０３から外れて第一非当接領域１０４に移動する際に、第二フォロアピンＰ２が第二非当接領域１０６から第二当接領域１０５に移動する（図３中矢印Ｉ部分参照）。このように第一当接領域１０３にある第一フォロアピンＰ１と、第二当接領域１０５にある第二フォロアピンＰ２との、当接領域の受け渡しによって、回転が停止することなく、第一フォロアピンＰ１は第一非当接領域１０４を移動し、第二フォロアピンＰ２は第二当接領域１０５を移動して直進する。
【００２９】
また、このとき、第一直進筒５Ａの第一回転規制部５１Ａは第一直進溝７１によって周方向の移動が規制され、第二回転規制部２３は第二直進筒５Ｂの第四直進溝５１Ｂによって周方向の移動が規制され、さらに、第三回転規制部８４は周方向の移動が規制されているので、ともに、回転駆動筒６Ｂやカム筒６Ａに同調して回転することなく光軸方向に移動する。
【００３０】
その後、上述のように第一及び第二フォロアピンＰ１、Ｐ２の移動によりカム筒６Ａが所定距離だけ回転すると、第一レンズ枠２が繰り出されて図１に示すワイド状態となる。第一レンズ枠２はワイド状態で、一番繰り出された状態となり、さらにカム筒６Ａを回転させると、一旦繰り込まれた後、途中からテレ状態になるまで繰り出されていく（図２参照）。このとき、シャッタユニット８は、第一フォロアピンＰ１及び第二フォロアピンＰ２による前方カム溝１０１及び後方カム溝１０２の案内によって前方に繰り出され、群間隔を変えて変倍を行う。
また、第一レンズ群２１及び第二レンズ群３１の位置に応じて、モータ（図示略）が第三レンズ枠４の位置調整をして第三レンズ群４１を移動させることにより、焦点が撮像部９に合うことになる。
【００３１】
テレ状態からワイド状態に戻り、さらに各レンズ群２１、３１、４１が収納される動作においては、回転駆動筒６Ｂ及びカム筒６Ａは繰り出し時とは逆方向に回転する。これらの回転により、ワイド状態の第一レンズ枠２は第二カム溝６２Ａの案内で繰り込まれる。また、シャッタユニット８及び第二レンズ枠３は、前方カム溝１０１及び後方カム溝１０２の案内により繰り込まれて、第三回転規制部８４も同時に繰り込まれる。さらに、第一直進筒５Ａが第一直進溝７１の案内で繰り込まれる。
ここで、カム筒６Ａの回転に伴い、後方カム溝１０２の第二当接領域１０５にある第二フォロアピンＰ２は、第二当接領域１０５に沿って移動し、前方カム溝１０１の第一非当接領域１０４にある第一フォロアピンＰ１は、第一非当接領域１０４に沿って移動する。第二フォロアピンＰ２が第二当接領域１０５から外れて第二非当接領域１０６に移動する際に、第一フォロアピンＰ１が第一非当接領域１０４から第一当接領域１０３に移動する（図３中矢印II部分参照）。このようにして、繰出動作と同様に、第一非当接領域１０４にある第一フォロアピンＰ１と、第二当接領域１０５にある第二フォロアピンＰ２との当接領域の受け渡しによって、回転が停止することなく、第二フォロアピンＰ２は第二非当接領域１０６を移動し、第一フォロアピンＰ１は第一当接領域１０３を移動して直進する。
その後、所定の位置においてバリア羽根２５が閉鎖される。
【００３２】
以上、本発明の実施の形態によれば、カム筒６Ａの内周面に、第二レンズ群保持枠１００の外周面に突出する第一及び第二フォロアピンＰ１、Ｐ２がそれぞれ係合して案内する同一軌跡の前方カム溝１０１及び後方カム溝１０２が、光軸方向に沿って略平行に並んで形成されており、各カム溝１０１、１０２は、フォロアピンＰ１、Ｐ２の外周面に当接する第一及び第二当接領域１０３、１０５と、当接しない第一及び第二非当接領域１０４、１０６とを備え、繰込・繰出動作に伴って、前方カム溝１０１内の第一フォロアピンＰ１が第一当接領域１０３から外れる際に、後方カム溝１０２内の第二非当接領域１０６にある第二フォロアピンＰ２が、第二当接領域１０５に配されることにより、当接領域の受け渡しがなされる。これによって、カム筒６Ａの回転が停止することなく、第二レンズ群３１及び第二レンズ群保持枠１００が所定の変位で移動する。
したがって、フォロアピンＰ１、Ｐ２の光軸方向における移動量が、カム筒６Ａの全長以上に必要な場合でも容易に対応することができる。さらに、カム筒６Ａの全長も短くでき、カメラの小型化を図ることができる。
【００３３】
なお、本発明は、上記実施の形態に限定されるものではなく、その要旨を逸脱しない範囲で適宜変更可能である。
例えば、上記実施の形態では、６段階ズーム方式となっているが、無段階ズーム方式の機構としても構わない。
【００３４】
また、固定筒７と回転駆動筒６Ｂとはヘリコイド構造によって駆動するとしたが、これに限定されるものではなく、カム構造によって駆動するとしても構わない。その他、上記実施の形態においてカム構造によって駆動する部材をヘリコイド構造によって駆動する構造としても構わない。
【００３５】
さらに、上記実施の形態では、第一レンズ群２１、第二レンズ群３１、第三レンズ群４１の３つのレンズ群を備えていたが、２つのレンズ群からなる構成であっても良いし、４つ以上のレンズ群を備えた構成であっても良い。
【図面の簡単な説明】
【００３６】
【図１】本発明の実施の形態を示すためのものであって、鏡筒駆動機構のワイド状態における光軸方向に沿った断面図である。
【図２】同、鏡筒駆動機構のテレ状態における光軸方向に沿った断面図である。
【図３】同、カム筒の内周面に形成されたカム溝を表す展開図である。
【符号の説明】
【００３７】
６Ａ  カム筒
３１  第二レンズ群（レンズ群）
１００  第二レンズ群保持枠（レンズ群保持枠）
１０１  前方カム溝（カム溝）
１０２  後方カム溝（カム溝）
１０３  第一当接領域（当接領域）
１０４  第一非当接領域（非当接領域）
１０５  第二当接領域（当接領域）
１０６  第二非当接領域（非当接領域）
Ｐ１  第一フォロアピン（外方突起）
Ｐ２  第二フォロアピン（外方突起）
【図１】
2006349798.tif 000003
【図２】
2006349798.tif 000004
【図３】
2006349798.tif 000005